(57)【特許請求の範囲】
【請求項１】
電気エネルギーの生成、伝送、配給および／または使用を行うための電気装置であって、  前記電気装置は、電気装置内部空間を囲むハウジングを備え、前記電気装置内部空間の少なくとも一部は、電気部品を配置する少なくとも１つの絶縁空間を形成し、前記絶縁空間は、前記電気部品を囲む絶縁媒体を含み、前記絶縁媒体は、二酸化炭素を含有し、
前記絶縁空間は、一定量の水分を前記絶縁媒体から減量するまたは除去するための吸着材が配置された少なくとも１つの絶縁空間区画室を含み、
前記少なくとも１つの絶縁空間区画室に配置された吸着材の量ｍａｄｓは、下記式（ＩＩ）を満たし、
【数１】
0006625053.tif 000020
式中、
ｍＣＯ２は、前記吸着材を前記絶縁空間区画室に配置する時に、対応する絶縁空間区画室に存在する二酸化炭素の量であり、
Ｋａｄｓ，ＣＯ２は、前記吸着材を前記絶縁空間区画室に配置する時に、前記吸着材が所定温度Ｔ０で二酸化炭素を吸着する吸着能力であり、
ｍａｄｓは、さらに下記式（Ｉ）を満たし、
【数２】
0006625053.tif 000021
式中、
ｍＨ２Ｏは、前記吸着材を前記絶縁空間区画室に配置する時に、対応する絶縁空間区画室に存在する水分の量であり、
Ｋａｄｓ，Ｈ２Ｏは、前記吸着材を前記絶縁空間区画室に配置する時に、前記吸着材が所定温度Ｔ０で水分を吸着する吸着能力であり、
前記所定温度Ｔ０は２９８．１５Ｋであり、
前記吸着材は分子篩を吸着材として含む、電気装置。
【請求項２】
前記分子篩は、ゼオライトである、請求項１に記載の電気装置。
【請求項３】
前記分子篩は、２Å〜１３Åの平均孔径を有する、請求項１または２に記載の電気装置。
【請求項４】
前記分子篩は、２Å〜５Åの平均孔径を有する、請求項１〜３のいずれか１項に記載の電気装置。
【請求項５】
前記絶縁空間は、互いに隔離された少なくとも２つの絶縁空間区画室により形成される、請求項１〜４のいずれか１項に記載の電気装置。
【請求項６】
前記少なくとも２つの区画室の体積は、互いに少なくとも１．５倍、好ましくは少なくとも７倍、最も好ましくは少なくとも５０倍で異なる、請求項５に記載の電気装置。
【請求項７】
前記電気装置は、カルシウム、硫酸カルシウム、特にドライエライト、炭酸カルシウム、水素化カルシウム、塩化カルシウム、炭酸カリウム、水酸化カリウム、硫酸銅（ＩＩ）、酸化カルシウム、マグネシウム、酸化マグネシウム、硫酸マグネシウム、過塩素酸マグネシウム、ナトリウム、硫酸ナトリウム、アルミニウム、水素化リチウムアルミニウム、酸化アルミニウム、活性アルミナ、モンモリロナイト、五酸化燐、シリカゲル、セルロースフィルタ、およびこれらの混合物からなる群から選択された乾燥剤をさらに含む、請求項１〜６のいずれか１項に記載の電気装置。
【請求項８】
前記絶縁媒体は、バックグラウンドガス、特に、空気、空気成分、酸素（Ｏ２）、窒素（Ｎ２）、窒素酸化物、およびこれらの混合物からなる群から選択されたバックグラウンドガスをさらに含む、請求項１〜７のいずれか１項に記載の電気装置。
【請求項９】
前記絶縁媒体に含まれた前記バックグラウンドガスは、二酸化炭素と酸素の混合物からなる、請求項８に記載の電気装置。
【請求項１０】
二酸化炭素の量と酸素の量との比率は、５０：５０〜１００：１の範囲、好ましくは８０：２０〜９５：５の範囲、より好ましくは８５：１５〜９２：８の範囲、さらにより好ましくは８７：１３〜９０：１０未満の範囲に変動し、特にその比率は、約８９：１１である、請求項９に記載の電気装置。
【請求項１１】
前記絶縁媒体は有機フッ素化合物をさらに含み、
前記有機フッ素化合物は、フルオロエーテル、特にハイドロフルオロモノエーテル、フルオロケトン、特にパーフルオロケトン、フルオロオレフィン、特にハイドロフルオロオレフィン、フルオロニトリル、特にパーフルオロニトリル、およびこれらの混合物からなる群から選択される、請求項１〜１０のいずれか１項に記載の電気装置。
【請求項１２】
前記絶縁媒体は、少なくとも３つの炭素原子を有するハイドロフルオロモノエーテルを含む、請求項１〜１１のいずれか１項に記載の電気装置。
【請求項１３】
前記絶縁媒体は、４〜１２個の炭素原子を有するフルオロケトン、好ましくはちょうど５つの炭素原子またはちょうど６つの炭素原子を有するフルオロケトンまたはそれらの混合物を含む、請求項１〜１２のいずれか１項に記載の電気装置。
【請求項１４】
前記絶縁媒体は、パーフルオロアルキルニトリルを含み、特に、パーフルオロアセトニトリル、パーフルオロプロピオニトリル（Ｃ２Ｆ５ＣＮ）、パーフルオロブチロニトリル（Ｃ３Ｆ７ＣＮ）、パーフルオロイソブチロニトリル（ＣＦ３）２ＣＦＣＮ）、パーフルオロ−２−メトキシプロパンニトリル（ＣＦ３ＣＦ（ＯＣＦ３）ＣＮ）、およびこれらの混合物からなる群から選択された化合物を含む、請求項１〜１３のいずれか１項に記載の電気装置。
【請求項１５】
各絶縁空間区画室に配置された前記吸着材の量ｍａｄｓは、下記式（Ｉ）を満たす、請求項１〜１４のいずれか１項に記載の電気装置。
【数３】
0006625053.tif 000022
【請求項１６】
前記電気装置は、高電圧装置または中電圧装置である、請求項１〜１５のいずれか１項に記載の電気装置。
【請求項１７】
前記電気装置は、高電圧装置、中電圧装置、低電圧装置、直流装置、スイッチ装置、空気絶縁スイッチ装置、空気絶縁スイッチ装置の一部または部品、ガス絶縁金属内包スイッチ装置（ＧＩＳ）、ガス絶縁金属内包スイッチ装置の一部または部品、空気絶縁送電線、ガス絶縁送電線（ＧＩＬ）、バスバー、ブッシング、空気絶縁絶縁体、ガス絶縁金属内包絶縁体、ケーブル、ガス絶縁ケーブル、ケーブル継手、電流変成器、電圧変成器、センサ、サージ避雷器、キャパシタ、インダクタ、抵抗器、電流制限器、高電圧スイッチ、接地スイッチ、断路器、負荷開閉スイッチ、回路遮断器、ガス回路遮断器、真空回路遮断器、発電機回路遮断器、中電圧スイッチ、環状主回路ユニット、再閉路器、分割器、低電圧スイッチ、変成器、配電変成器、電力変成器、タップ切換器、変成器ブッシング、回転電機、発電機、電動機、駆動装置、半導体装置、電力半導体装置、電力変換装置、計算機、これらの装置の部品および／または組合わせの一部であるまたはそのものである、請求項１〜１６のいずれか１項に記載の電気装置。
【請求項１８】
前記少なくとも１つの絶縁空間区画室は、１立方メートルの単位体積で、５ｋｇ未満、好ましくは１．２５ｋｇ未満、より好ましくは０．２５ｋｇ未満、最も好ましくは０．１２５ｋｇ未満の体積固有量の吸着材を含む、請求項１〜１７のいずれか１項に記載の電気装置。
【請求項１９】
電気エネルギーの生成、伝送、配給および／または使用を行うための電気装置であって、  前記電気装置は、電気装置内部空間を囲むハウジングを備え、前記電気装置内部空間の少なくとも一部は、電気部品を配置する少なくとも１つの絶縁空間を形成し、前記絶縁空間は、前記電気部品を囲む絶縁媒体を含み、前記絶縁媒体は、二酸化炭素を含有し、
前記絶縁空間は、一定量の水分を前記絶縁媒体から減量するまたは除去するための吸着材が配置された少なくとも１つの絶縁空間区画室を含み、
前記少なくとも１つの絶縁空間区画室は、１立方メートルの単位体積で、５ｋｇ未満の体積固有量の吸着材を含み、
前記少なくとも１つの絶縁空間区画室に配置された前記吸着材の量ｍａｄｓは、下記式（Ｉ）を満たし、
【数４】
0006625053.tif 000023
式中、
ｍＨ２Ｏは、前記吸着材を前記絶縁空間区画室に配置する時に、対応する絶縁空間区画室に存在する水分の量であり、
Ｋａｄｓ，Ｈ２Ｏは、前記吸着材を前記絶縁空間区画室に配置する時に、前記吸着材が所定温度Ｔ０で水分を吸着する吸着能力であり、
前記所定温度Ｔ０は２９８．１５Ｋであり、
前記吸着材は分子篩を吸着材として含み、
前記分子篩は、ゼオライトである、電気装置。
【請求項２０】
前記少なくとも１つの絶縁空間区画室は、１立方メートルの単位体積で、１．２５ｋｇ未満、好ましくは０．２５ｋｇ未満、最も好ましくは０．１２５ｋｇ未満の体積固有量の吸着材を含む、請求項１９に記載の電気装置。
【請求項２１】
前記電気部品は、非回路遮断器の部品であり、
前記少なくとも１つの絶縁空間区画室は、１立方メートルの単位体積で、２ｋｇ未満、好ましくは０．５ｋｇ未満、より好ましくは０．１ｋｇ未満、最も好ましくは０．０５５ｋｇ未満の体積固有量の吸着材を含む、請求項１９に記載の電気装置。
【請求項２２】
前記吸着材の量ｍａｄｓは、前記吸着材を前記絶縁空間区画室に導入する際に、前記絶縁媒体内のＣＯ２の分圧が１５％未満、好ましくは１０％未満、より好ましくは５％未満、最も好ましくは２％未満に変化するように、選択される、請求項１９〜２１のいずれか１項に記載の電気装置。
【請求項２３】
前記吸着材の量ｍａｄｓは、さらに下記式（ＩＩ）を満たす、
【数５】
0006625053.tif 000024
式中、
ｍＣＯ２は、前記吸着材を前記絶縁空間区画室に配置する時に、対応する絶縁空間区画室に存在する二酸化炭素の量であり、
Ｋａｄｓ，ＣＯ２は、前記吸着材を前記絶縁空間区画室に配置する時に、前記吸着材が所定温度Ｔ０で二酸化炭素を吸着する吸着能力である、請求項１９〜２２のいずれか１項に記載の電気装置。
【請求項２４】
前記吸着材の量ｍａｄｓは、式（Ｉ）により与えられた下限値よりも、式（ＩＩ）により与えられた上限値に近くなるように選択される、請求項２３に記載の電気装置。
【請求項２５】
電気エネルギーの生成、伝送、配給および／または使用を行うための電気装置内の水分および他の汚染物を吸着するための吸着材の最適量を決定するための方法であって、
前記電気装置は、電気装置内部空間を囲むハウジングを備え、前記電気装置内部空間の少なくとも一部は、電気部品を配置する少なくとも１つの絶縁空間を形成し、前記絶縁空間は、前記電気部品を囲む絶縁媒体を含み、前記絶縁媒体は、二酸化炭素を含有し、前記絶縁空間は、少なくとも１つの絶縁空間区画室を含み、
前記方法は、
ａ）前記少なくとも１つの絶縁空間区画室に前記吸着材を配置する時に、前記絶縁空間区画室に存在する水分の量ｍＨ２Ｏを決定するステップと、
ｂ）前記少なくとも１つの絶縁空間区画室に前記吸着材を配置する時に、前記絶縁空間区画室に存在する二酸化炭素の量ｍＣＯ２を決定するステップと、
ｃ）式（Ｉ）に従って、前記少なくとも１つの絶縁空間区画室に配置された吸着材の量ｍａｄｓの下限値を決定するステップと、
【数６】
0006625053.tif 000025
式中、
Ｋａｄｓ，Ｈ２Ｏは、前記吸着材を前記絶縁空間区画室に配置する時に、前記吸着材が所定温度Ｔ０または第１所定温度Ｔ１で水分を吸着する吸着能力であり、
ｄ）式（ＩＩ）に従って、少なくとも１つの絶縁空間区画室に配置された吸着材の量ｍａｄｓの上限値を決定するステップとを含み、
【数７】
0006625053.tif 000026
式中、
Ｋａｄｓ，ＣＯ２は、前記吸着材を前記絶縁空間区画室に配置する時に、前記吸着材が所定温度Ｔ０または第２所定温度Ｔ２で二酸化炭素を吸着する吸着能力であり、
前記所定温度Ｔ０は２９８．１５Ｋであり、前記第１所定温度Ｔ１は前記所定温度Ｔ０より高く、前記第２所定温度Ｔ２は前記所定温度Ｔ０より低く、前記吸着材は分子篩を吸着材として含む、方法。
【請求項２６】
電気エネルギーの生成、伝送、配給および／または使用を行うための電気装置内の水分および他の汚染物を吸着するための吸着材の最適量を決定するための方法であって、
前記電気装置は、電気装置内部空間を囲むハウジングを備え、前記電気装置内部空間の少なくとも一部は、電気部品を配置する少なくとも１つの絶縁空間を形成し、前記絶縁空間は、前記電気部品を囲む絶縁媒体を含み、前記絶縁媒体は、二酸化炭素を含有し、前記絶縁空間は、少なくとも１つの絶縁空間区画室を含み、
前記方法は、
ａ）前記少なくとも１つの絶縁空間区画室に前記吸着材を配置する時に、前記絶縁空間区画室に存在する水分の量ｍＨ２Ｏを決定するステップと、
ｂ）前記少なくとも１つの絶縁空間区画室に前記吸着材を配置する時に、前記絶縁空間区画室に存在する二酸化炭素の量ｍＣＯ２を決定するステップと、
ｃ）式（Ｉ）に従って、前記少なくとも１つの絶縁空間区画室に配置された吸着材の量ｍａｄｓの下限値を決定するステップと、
【数８】
0006625053.tif 000027
式中、
Ｋａｄｓ，Ｈ２Ｏは、前記吸着材を前記絶縁空間区画室に配置する時に、前記吸着材が所定温度Ｔ０または第１所定温度Ｔ１で水分を吸着する吸着能力であり、
ｄ）式（ＩＩ）に従って、少なくとも１つの絶縁空間区画室に配置された吸着材の量ｍａｄｓの上限値を決定するステップとを含み、
【数９】
0006625053.tif 000028
式中、
Ｋａｄｓ，ＣＯ２は、前記吸着材を前記絶縁空間区画室に配置する時に、前記吸着材が所定温度Ｔ０または第２所定温度Ｔ２で二酸化炭素を吸着する吸着能力であり、
前記所定温度Ｔ０は２９８．１５Ｋであり、前記第１所定温度Ｔ１は所定温度Ｔ０より高くかつ８０℃より低く、前記第２所定温度Ｔ２は所定温度Ｔ０より低くかつ−４０℃より高く、前記吸着材は分子篩を吸着材として含む、方法。
【請求項２７】
前記方法は、式（Ｉ）により与えられた下限値よりも、式（ＩＩ）により与えられた上限値に近くなるように、前記吸着材の量ｍａｄｓを選択する方法要素を含む、請求項２５または２６に記載の方法。
【請求項２８】
前記方法は、式（Ｉ）により与えられた下限値が前記第１所定温度Ｔ１で決定され、式（ＩＩ）により与えられた上限値が前記第２所定温度Ｔ２で決定される、請求項２５〜２７のいずれか１項に記載の方法。
【請求項２９】
前記吸着材の量ｍａｄｓは、前記第１所定温度Ｔ１が室温に等しくなり、前記第２所定温度Ｔ２が室温よりも低くまたは前記電気装置の最小動作温度に等しくなるように選択される、請求項２８に記載の方法。
【請求項３０】
前記吸着材の量は、前記吸着材を前記絶縁空間区画室に導入する際に、前記絶縁媒体内のＣＯ２の分圧が１５％未満、好ましくは１０％未満、より好ましくは５％未満、最も好ましくは２％未満に変化するように、選択される、請求項２５〜２９のいずれか１項に記載の方法。
【発明の詳細な説明】
【技術分野】
【０００１】
本発明は、独立請求項の前提部分に記載されたように、電気エネルギーの生成、伝送、配給および／または使用を行うための電気装置、およびこのような電気装置内の水分および必要に応じて他の汚染物を吸着するための吸着材の最適量を決定するための方法に関する。
【背景技術】
【０００２】
従来、液体状または気体状の誘電体絶縁媒体は、多種多様の電気装置に、たとえばスイッチ装置、ガス絶縁変電所（ＧＩＳ）、ガス絶縁線路（ＧＩＬ）または変成器に収納された電気部品を絶縁するために、使用される。
【０００３】
たとえば、中電圧または高電圧の金属内包スイッチ装置において、電気部品は、絶縁空間を取囲むハウジング内に配置される。この絶縁空間は、絶縁ガスを含む。絶縁ガスは、電流がハウジングと電気部品との間に流れないように、電気部品とハウジングとを隔離することによって、誘電体絶縁を形成する。高電圧スイッチ装置の電流を遮断するために、絶縁ガスはさらに、消弧ガスとして機能する（以下、「クエンチガス」とも称する）。
【０００４】
従来には、六フッ化硫黄（ＳＦ６）は、絶縁媒体またはクエンチガスとして使用されてきた。ＳＦ６は、高絶縁強度および高熱遮断能力を有すると知られている。しかしながら、ＳＦ６は、特に高い地球温暖化係数（ＧＷＰ）および大気中で比較的長い寿命を有するため、大気中に放出されると、環境にいくつかの影響を与えてしまう可能性がある。
【０００５】
これまでに、ＳＦ６が比較的高いＧＷＰを有する問題は、ガス漏れの厳密制御およびガスの非常に慎重な取り扱いによって、対処してきた。しかしながら、代替的な絶縁媒体または代替的なクエンチガスの開発には、研究を続行する必要がある。
【０００６】
ＳＦ６を代替する候補のうち、特に興味深いものがＣＯ２である。ＣＯ２は、容易に入手可能、非毒性および不燃性である。地球温暖化への影響を抑制するために、ＣＯ２をクエンチガスとして用いた回路遮断器は、たとえば、米国特許第７８１６６１８号に記載されている。また、ＥＰ−Ａ−２２８４８５４は、消弧媒体として、主にＣＯ２およびＣＨ４を含む混合ガスを提案している。
【０００７】
絶縁媒体に存在する汚染物、特に絶縁媒体に存在する特定の湿気（すなわち、水分）および／または分解生成物を低減または除去するために、汚染低減要素をさらに電気装置に設けることができる。たとえば、ゼオライトなどの吸着材は、汚染低減要素として開示されている。ゼオライトをＣＯ２含有絶縁ガスに使用することは、ＥＰ−Ａ−２４４５０６８に開示されている。
【０００８】
ゼオライトの選択性は、主にその孔径に依存する。したがって、ゼオライトは、絶縁媒体分子の動的直径が汚染物の動的直径と著しく異なる場合に限って、使用可能である。絶縁ガス分子の動的直径が汚染物の動的直径と同様の場合に、絶縁ガス分子は、共吸着される。
【０００９】
絶縁媒体成分の吸着は、絶縁性能および消弧性能の低下につながる。絶縁媒体がＣＯ２を含有する場合、ＣＯ２の動的直径が除去される水分子の動的直径と同様であり、よって、分子篩の孔径と同様であるため、この問題は、特に顕著になる。
【００１０】
ＥＰ−Ａ−２４４５０６８により示唆したように、０．２〜０．５ｎｍ範囲の孔径を有するゼオライトを使用する場合、水分だけでなくＣＯ２も（共）吸着されるため、絶縁媒体の絶縁性能および消弧性能の低下を引き起す。
【００１１】
ゼオライトのＣＯ２吸着が温度に依存するため、さらなる問題が生じる。温度が変化すると、ＣＯ２のガス密度が変化するため、誘電体絶縁ガスの気圧も変動する可能性がある。さらに、絶縁媒体が異なる成分の混合物である場合、絶縁媒体の組成均一性が経時的に維持することができないため、そのような密度の変化は、特に不利である。また、装置の動作中に、ガス漏れなどの故障を検出することは、困難であると考えられる。その理由は、電気装置の故障は、必ずしも絶縁ガスの組成および／または密度の変化によって直接引き起されるものではなく、単にゼオライトが必要以上にＣＯ２を吸着することによって引き起される可能性があるからである。
【発明の概要】
【発明が解決しようとする課題】
【００１２】
これらの欠点を鑑み、本発明の課題は、ＣＯ２を含有する誘電体絶縁媒体を用いた電気装置を提供することである。本発明の装置は、絶縁媒体の絶縁性能および消弧性能を実質的に妨げることなく、絶縁媒体から汚染物を低減または除去することができる。
【課題を解決するための手段】
【００１３】
この課題は、独立請求項に係る主題によって解決される。実施形態は、従属請求項および請求項の組合わせならびに図面を含む明細書に記載される。
【００１４】
第１局面によれば、本発明は、電気エネルギーの生成、伝送、配給および／または使用を行うための電気装置に関する。本発明の電気装置は、電気装置内部空間を囲むハウジングを備える。電気装置内部空間の少なくとも一部は、電気部品を配置する少なくとも１つの絶縁空間を形成し、絶縁空間は、電気部品を囲む絶縁媒体を含む。絶縁媒体は、二酸化炭素を含有する。絶縁空間は、一定量の水分および必要に応じて他の汚染物を絶縁媒体から減量するまたは除去するための吸着材が配置された少なくとも１つの絶縁空間区画室を含む。
【００１５】
少なくとも１つの絶縁空間区画室、特に各絶縁空間区画室に配置された吸着材の量ｍａｄｓは、下記式（Ｉ）を満たし、
【００１６】
【数１】
0006625053.tif 000002
【００１７】
式中、ｍＨ２Ｏは、各絶縁空間区画室中に存在する水分の量であり、Ｋａｄｓ，Ｈ２Ｏは、吸着材が所定温度Ｔ０で水分を吸着する吸着能力である。
【００１８】
ｍａｄｓは、さらに下記式（ＩＩ）を満たし、
【００１９】
【数２】
0006625053.tif 000003
【００２０】
式中、ｍＣＯ２は、各絶縁空間区画室中に存在する二酸化炭素（ＣＯ２）の量であり、Ｋａｄｓ，ＣＯ２は、吸着材が所定温度Ｔ０で二酸化炭素を吸着する吸着能力である。
【００２１】
少なくとも１つの絶縁空間区画室に少なくともいくつかの水分の存在は、望ましくないが、ほぼ回避できない。したがって、水分は、一般的に少なくとも１つの絶縁空間区画室に存在する。存在する水分の量は、当業者に周知の方法を用いて決定することができる。
【００２２】
本発明によれば、少なくとも１つの絶縁空間区画室、好ましくは各々の絶縁空間区画室には、実際のニーズに応じた量の吸着材が配置されている。したがって、吸着材から絶縁媒体の絶縁性能および消弧性能に与える影響を許容可能な程度にまたは最小限に抑えるとともに、水分および／または他の汚染物の非常に効率的な除去を達成することができる。
【発明を実施するための形態】
【００２３】
より具体的には、絶縁空間区画室に配置される吸着材の量の下限値は、第１式（Ｉ）により規定され、その上限値は、第２式（ＩＩ）により規定される。したがって、吸着材の量は、絶縁空間区画室中に存在する水分を除去するのに十分である一方、絶縁空間区画室中に存在する二酸化炭素の量のうち最大１０％が吸着されるように制限されている。
【００２４】
実施形態において、吸着材の量ｍａｄｓは、絶縁空間区画室に吸着材を導入する際に、絶縁媒体内のＣＯ２の分圧が１５％未満、好ましくは１０％未満、より好ましくは５％未満、最も好ましくは２％未満に変化するように、選択される。したがって、このような実施形態において、ＣＯ２の密度の変化は、１５％未満、好ましくは１０％未満、より好ましくは５％未満、最も好ましくは２％未満である。
【００２５】
その結果、絶縁媒体の絶縁性能および消弧性能の低下は、許容可能な程度に制限され、ガス混合物を使用する場合、絶縁媒体の組成の均一性は、実質的に影響されない。
【００２６】
したがって、ガスの密度および／またはその組成の変化が一定の基準（たとえば、本明細書に開示された百分率限度値）を超えた場合、確実に故障または異常につながるため、運転中にガスの密度および／またはその組成の変化を監視することによって、ガス漏れなどの故障を正確に検出することができる。
【００２７】
「吸着能力」とう用語は、本発明の文脈に使用された場合、所定量（ｋｇ単位）の吸着材に吸着され得る被吸着物の量（ｋｇ単位）、具体的には汚染物（特に水分）の量を意味する。換言すれば、「吸着能力」は、吸着材が吸着できる被吸着物の量を意味する。したがって、吸着能力０．１とは、１００ｇの被吸着物が１ｋｇの吸着材に吸着されていることを意味する。
【００２８】
「汚染物」とい用語は、本明細書に使用された場合、水分および分解生成物の両方を包含する。汚染物の中では、一般的に、水分の量は、分解生成物の量よりも多い。
【００２９】
吸着能力は、吸着材の材料固有特性であり、一般的には吸着材の温度および吸着材の配置環境に依存する。原則として、吸着材の吸着能力は、吸着材がいくつかの被吸着物を吸着した場合、吸着材が被吸着物を吸着していない場合よりも、低くなる。所定吸着材の吸着能力は、一般的には、市場から入手した未使用の材料の吸着能力を指す。吸着能力に関する情報は、当業者に知られているか、または関連する代理店によって提供される。
【００３０】
上述したように、吸着能力は、温度に依存する。その温度は、所定温度Ｔ０、特に室温を意味する。実施形態において、「所定温度」という用語は、本発明の文脈に使用された場合、電気装置の作動状態に関連する温度、より具体的にはガス平均温度を指す。さらにより具体的には、所定温度Ｔ０は、室温を指し、最も具体的には、所定温度Ｔ０は、標準環境温度、すなわち２９８．１５Ｋを指す。
【００３１】
具体的には、吸着材の温度に関連する所定温度Ｔ０は、以下のように選択されることができる。本願に開示されたように、式（Ｉ）または（Ｉｉ）によって吸着量ｍａｄｓの下限値を決定する際に、吸着能力Ｋａｄｓ，Ｈ２Ｏが一般的に所定温度Ｔ０の増加に伴って減少するため、吸着材の最小の所望量ｍａｄｓが一般的に所定温度Ｔ０の増加に伴って増加する。たとえば、代表的な吸着材の温度を容器温度（たとえば、通常動作時に３０℃または限界動作時に６０℃）とガスの温度または通電部品の温度（たとえば、通常動作時に５０℃または限界動作時に１００℃）との間にすることができるため、その温度をたとえば（通常動作時に）約３５〜４０℃または（限界動作時に）約８０℃にすることができる。
【００３２】
式（Ｉ）または（Ｉｉ）によって吸着材の量ｍａｄｓの下限値を決定するために、所定温度Ｔ０は、吸着材の代表温度よりも低くなるように選択されなければならず、すなわち、約８０℃、好ましくは約３５〜４０℃、より好ましくは室温または標準環境温度、すなわち２９８．１５Ｋよりも確実に低くなるように選択されなければならない。
【００３３】
一般的には、二酸化炭素を吸着する吸着材の吸着能力は、温度の減少関数であり、したがって、吸着材の量ｍａｄｓの最大の所望量は、一般的には所定温度Ｔ０の増加に連れて増加する。したがって、所定温度Ｔ０を超えるすべての温度の場合、式（ＩＩ）は、自動的に成立する。よって、所定温度Ｔ０は、吸着材の代表温度よりも低くなるように選択されなければならず、すなわち、約８０℃、好ましくは約３５〜４０℃、より好ましくは室温または標準環境温度、すなわち２９８．１５Ｋよりも確実に低くなるように選択されなければならない。
【００３４】
実施形態において、吸着材の実際の量ｍａｄｓは、好ましくは下限値よりも上限値に近くなるように選択される。これによって、より大きな二酸化炭素分圧の圧力変動を許容するとともに、吸着材の量ｍａｄｓの吸水能力を増加することができ得る。
【００３５】
独立請求項のさらなる実施形態において、少なくとも１つの絶縁空間区画室に、特に各絶縁空間区画室に配置された吸着材ｍａｄｓの量は、下記式（Ｉ）を満たし、
【００３６】
【数３】
0006625053.tif 000004
【００３７】
式中、
ｍＨ２Ｏは、各絶縁空間区画室中に存在する水分の量であり、
Ｋａｄｓ，Ｈ２Ｏは、吸着材が第１所定温度Ｔ１で水分を吸着する吸着能力であり、
ｍａｄｓは、さらに下記式（ＩＩ）を満たし、
【００３８】
【数４】
0006625053.tif 000005
【００３９】
式中、
ｍＣＯ２は、各絶縁空間区画室中に存在する二酸化炭素の量であり、
Ｋａｄｓ，ＣＯ２は、吸着材が第２所定温度Ｔ２で二酸化炭素を吸着する吸着能力である。
【００４０】
実施形態において、第１所定温度Ｔ１は、第２所定温度Ｔ２よりも高くなるように選択される。これによって、吸着材の許容量ｍａｄｓの範囲は、小さくなる。
【００４１】
さらなる実施形態において、第１所定温度Ｔ１は、上記のＴ０と同様に、吸着材の代表温度よりも低くなるように、すなわち、約８０℃よりも確実に低く、好ましくは約３５〜４０℃より低く、より好ましくは室温または標準環境温度、すなわち２９８．１５Ｋとなるように選択される。特に、第１所定温度Ｔ１は、（単独のまたは組合せた）所定温度Ｔ０に等しくまたは所定温度Ｔ０よりも高くなるように選択される。
【００４２】
さらなる実施形態において、第２所定温度Ｔ２は、吸着材の代表温度よりも低くなるように、すなわち、約３５〜４０℃よりも低く、より好ましくは室温よりも低く、最も好ましくは、電気装置の最低動作温度、たとえば−５℃または−４０°に等しくまたは概ね等しくなるように選択される。特に、第２所定温度Ｔ２は、（単独のまたは組合せた）所定温度Ｔ０よりも低くなるように選択される。これによって、吸着材の量ｍａｄｓの許容範囲は、小さくなる。
【００４３】
本願に開示されたすべての実施形態は、装置または方法に関係なく、第１所定温度Ｔ１および第２所定温度Ｔ２を用いて（単独のまたは組合せた）所定温度Ｔ０を置換することによって、同様にこれらの構成に適用することができる。具体的には、第１所定温度Ｔ１および第２所定温度Ｔ２は、互いに同様であるように、すなわち、所定温度Ｔ０に等しくなるように選択することができる。
【００４４】
装置の動作中に、吸着材の温度は、一般的に絶縁媒体の平均温度、特にハウジングの平均温度よりも低い。
【００４５】
また、吸着能力は、各々の被吸着物の圧力または分圧に依存している。所定のＣＯ２分圧の場合、吸着能力に関する情報は、当業者に知られているか、または関連する代理店によって提供される。二酸化炭素の吸着について、ＣＯ２圧力が本発明に係る電気装置の代表事例の場合のようにいくつかの気圧（単位バール）になると、代表的な吸着材、たとえばゼオライトの圧力依存性は、非常に低くなる。
【００４６】
さらに、Ｋａｄｓ，ＣＯ２は、たとえば吸着された水分の量に依存する。すなわち、二酸化炭素を吸着する吸着材の吸着能力は、吸着された水分の量の増加に連れて減少する。時間とともにより多くの水分を吸着すると、Ｋａｄｓ，ＣＯ２は、時間とともに減少する。したがって、式（ＩＩ）を満たすように最初に選択された吸着材の量ｍａｄｓは、Ｋａｄｓ，ＣＯ２が経時的に減少すると、この式（ＩＩ）も満たす。
【００４７】
従って、一実施形態によれば、ｋａｄｓ，ＣＯ２は、初期のＫａｄｓ，ＣＯ２に関連する。すなわち、ｋａｄｓ，ＣＯ２は、吸着材を少なくとも１つの絶縁空間区画室に配置する時に、吸着材が所定温度Ｔ０で二酸化炭素を吸着する吸着能力、換言すれば、一般的に電気装置を作動する時または電気装置をメンテナンスする時に、吸着材が所定温度Ｔ０で二酸化炭素を吸着する吸着能力に関連する。
【００４８】
同様に、一実施形態において、ｍＨ２Ｏは、初期のｍＨ２Ｏ、すなわち、吸着材を少なくとも１つの絶縁空間区画室に配置する時に、絶縁空間区画室中に存在する水分の量に関連する。
【００４９】
また、同様に、ｍＣＯ２は、吸着材を絶縁空間区画室に配置する時に、絶縁空間区画室中に存在する二酸化炭素の量に関連する。
【００５０】
さらに同様に、Ｋａｄｓ，Ｈ２Ｏは、吸着材を絶縁空間区画室に配置する時に、吸着材が所定温度Ｔ０で水分を吸着する吸着能力に関連する。
【００５１】
「絶縁空間区画室中に存在する水分の量」という表現は、任意状態の水分を含み、特にポリマ材料のような固体材料中に存在し、絶縁空間区画室に直接に露出している水分を含む。その理由は、絶縁空間区画室に直接に露出している水分は、一般的に固体材料から絶縁空間区画室に経時的に拡散する。したがって、実施形態によれば、「絶縁空間区画室中に存在する水分の量」という用語は、絶縁空間区画室に既に存在する水分に加えて、絶縁空間区画室に放出可能な水分を含む。
【００５２】
一実施形態によれば、吸着材は、水分低減要素である。本発明の文脈において、「湿気低減要素」という用語は、用語「水分水分低減要素」に相当する。
【００５３】
特に、吸着材は、好ましくは分子篩であり、より好ましくはゼオライト、すなわち、所望の孔径を得るために陽イオン交換を行った微孔アルミノ珪酸塩である。ゼオライトは、安価であり、高温特に４０℃〜８０℃範囲の高温でも、広範囲の異なる汚染物を吸着することができる。また、好ましい吸着材は、活性炭および活性アルミナを含む。これらの吸着材のいずれかを使用すると、水分およびＨＦのような分解生成物の両方を効率的に除去することができる。
【００５４】
特に吸着材が分子篩である場合、「吸着」という用語は、物理吸着および／または化学吸着などの任意の吸着過程を含むものとする。具体的には、物理吸着は、絶縁媒体分子の大きさと吸着材の孔径、具体的には分子篩の孔径との間の関係によって決定または影響される。具体的には、化学吸着は、絶縁媒体分子と吸着材分子、具体的には分子篩の分子と間の化学相互作用、特に可逆的な化学相互作用によって決定または影響される。
【００５５】
実施形態において、分子篩、具体的にゼオライトは、２Å〜１３Åの平均孔径、好ましくは２Å〜１０Åの平均孔径、より好ましくは２Å〜８Åの平均孔径、最も好ましくは２Å〜５Åの平均孔径を有する。これらの孔径を有する分子篩は、特に高い吸着能力を有することが判明され、水分および／またはＨＦなどの分解生成物を効率的に吸着することによって、絶縁媒体から除去することができる。以下に詳細に説明する実施形態において、絶縁媒体がフルオロケトンを含むが、フルオロケトンが吸着されるべきではないため、分子篩、具体的にゼオライトが最大５Åの平均孔径を有することは、特に好ましい。さらに、最大３Åの平均孔径を有する分子篩、具体的にゼオライトは、ＣＯ２を吸着する傾向が比較的低いため、さらに好ましい。
【００５６】
適切なゼオライトは、たとえば、ZEOCHEM（登録商標）分子篩３Ａ（３Åの孔径を有する）、ZEOCHEM（登録商標）分子篩５Ａ（５Åの孔径を有する）、およびZEOCHEM（登録商標）分子篩１３Ｘ（９Åの孔径を有する）を含む。
【００５７】
上述したように、用語「吸着」または「被吸着」は、物理吸着および／または化学吸着の両方を含む。具体的には、物理吸着は、絶縁媒体分子の大きさと分子篩の孔径との間の関係によって決定または影響される。具体的には、化学吸着は、絶縁媒体分子と分子篩の分子と間の化学相互作用によって決定または影響される。
【００５８】
本発明の利点は、互いに隔離された少なくとも２つの絶縁空間区画室によって絶縁空間を形成する実施形態において、特に顕著である。その理由は、このような実施形態において、本発明は、特定の区画室の異なるニーズを考慮せず、すべての区画室に標準量の吸着材を使用する場合に比べて、吸着材から絶縁媒体の絶縁性能および消弧性能に与える影響を最小限に抑えることができるからである。このことは、区画室に存在する水分の量または放出および／または生成された分解生成物の量が著しく異なる場合に、特に重要である。たとえば、非回路遮断器区画室に比べて、回路遮断器区画室または絶縁空間区画室は、著しく異なる体積を有するため、区画室に存在する水分の量または放出および／または生成された分解生成物の量も著しく異なる。非回路遮断器区画室とは、名義上の過電流遮断機能を有する回路遮断器を備えず、最大に接地スイッチおよび／または断路器を備える純粋の電流伝導区画室要素または区画室を指し、もしくは回路スイッチまたはその部品を含まない区画室を指す。
【００５９】
換言すれば、これらの実施形態において、少なくとも２つの絶縁空間区画室が互いに隔離されているという特徴は、これらの絶縁空間区画室が互いに流体流通していないことを意味する。
【００６０】
このような実施形態において、少なくとも２つの区画室の体積は、好ましくは少なくとも１．５倍、より好ましくは少なくとも７倍、最も好ましくは少なくとも５０倍で互いに異なる。
【００６１】
好ましい実施形態によれば、少なくとも１つの絶縁空間区画室は、１立方メートルの単位体積で、５ｋｇ未満、好ましくは１．２５ｋｇ未満、より好ましくは０．２５ｋｇ未満、最も好ましくは０．１２５ｋｇ未満の体積固有量の吸着材を含む。
【００６２】
電気部品が非回路遮断器部品である場合、少なくとも１つの絶縁空間区画室は、１立方メートルの単位体積で、２ｋｇ未満、好ましくは０．５ｋｇ未満、より好ましくは０．１ｋｇ未満、最も好ましくは０．０５ｋｇ未満の体積固有量の吸着材を含むことが好ましい。
【００６３】
分子篩吸着能力ｋａｄｓ，ＣＯ２が約０．２であると仮定する場合、仮定密度約２ｋｇ／ｍ３のＣＯ２とともに、１０標準立方メートル（bar・m3）の体積を有する絶縁空間区画室に配置される分子篩の最大量は、約１０ｋｇである。理解すべきことは、吸着材の最大量は、二酸化炭素に対する吸着能力ｋａｄｓ，ＣＯ２に応じて、高くなりまたは低くなることができることである。
【００６４】
分子篩の追加物または代替物として、電気装置は、カルシウム、硫酸カルシウム、特にドライエライト、炭酸カルシウム、水素化カルシウム、塩化カルシウム、炭酸カリウム、水酸化カリウム、硫酸銅（ＩＩ）、酸化カルシウム、マグネシウム、酸化マグネシウム、硫酸マグネシウム、過塩素酸マグネシウム、ナトリウム、硫酸ナトリウム、アルミニウム、水素化リチウムアルミニウム、酸化アルミニウム、活性アルミナ、モンモリロナイト、五酸化燐、シリカゲル、セルロースフィルタ、およびこれらの混合物からなる群から選択された乾燥剤を含む。
【００６５】
上述したように、絶縁媒体は、二酸化炭素（ＣＯ２）を含有する。用語「含有する」を使用する場合、実施形態は、絶縁媒体が二酸化炭素からなるまたは本質的に二酸化炭素からなることを包含する。このような実施形態において、二酸化炭素は、絶縁媒体の唯一の構成成分である。
【００６６】
代替的には、絶縁媒体は、他の成分のほかに、二酸化炭素を含むことができ、したがって、ガス混合物を形成する。多くの場合に、好ましい実施形態は、ガス混合物を使用する。特に、絶縁媒体は、二酸化炭素の他に、空気または少なくとも１つの空気成分、特に酸素、窒素およびそれらの混合物からなる群から選択された少なくとも１つの空気成分を含むことが好ましい。
【００６７】
好ましい実施形態によれば、絶縁媒体は、二酸化炭素と酸素の混合物を含む。特に好ましい実施形態によれば、二酸化炭素の量と酸素の量との比率は、５０：５０〜１００：１の範囲に変動することができる。
【００６８】
特に高電圧スイッチ装置の電流遮断を考慮して、さらなる実施形態特において、二酸化炭素の量と酸素の量との比率は、好ましくは８０：２０〜９５：５の範囲、より好ましくは８５：１５〜９２：８の範囲、さらにより好ましくは８７：１３〜９０：１０未満の範囲に変動し、特にその比率は、約８９：１１である。酸素の量について、現在判明したことは、酸素が５％未満のモル割合で存在する場合、電流遮断を繰り返しても、高電流アーク放電を用いて、防止すべき煤煙の形成を十分に抑制することができない一方、酸素が最大２０％のモル割合、より具体的には最大１５％のモル割合で存在する場合、酸化による電気装置の材料劣化の危険性を低減することができることである。
【００６９】
別の好ましい実施形態によれば、有機フッ素化合物が非常に高絶縁性能、特に高絶縁強度（または破壊電界強度）を有するとともに、低ＧＷＰおよび低毒性を有することが判明されたため、絶縁媒体はさらに、有機フッ素化合物を含む。このような実施形態において、有機フッ素化合物と反応することによって分解生成物を生成する可能性のある水分は、効率的に除去されたため、本発明によって達成可能な利点は、特に顕著である。これによって、たとえば極めて有毒で腐食性のあるフッ化水素の生成は、効率的に回避することができる。
【００７０】
具体的には、有機フッ素化合物は、フルオロエーテル、特にハイドロフルオロモノエーテル、フルオロケトン、特にパーフルオロケトン、フルオロオレフィン、特にハイドロフルオロオレフィン、フルオロニトリル、特にパーフルオロニトリル、およびこれらの混合物からなる群から選択される。その理由は、これらの種類の化合物は、非常に高絶縁性能、特に高絶縁強度（または破壊電界強度）を有するとともに、低ＧＷＰおよび低毒性を有することが判明されたからである。
【００７１】
本発明は、誘電体絶縁ガスがフルオロエーテル、特にハイドロフルオロモノエーテル、フルオロケトンおよびフルオロオレフィン、特にハイドロフルオロオレフィンのうちいずれか１つを含有するという実施形態、および誘電体絶縁ガスがこれらの化合物のうち少なくとも２つの化合物からなる混合物を含有するという実施形態の両方を含む。
【００７２】
「フルオロエーテル」という用語は、本発明の文脈に使用された場合、パーフルオロエーテル、すなわち完全にフッ化されたエーテル、およびハイドロフルオロエーテル、すなわち部分的にフッ化されたエーテルの両方を包含する。「フルオロエーテル」という用語はさらに、飽和化合物、および不飽和化合物、すなわち炭素原子間の二重結合および／または三重結合を含む化合物を包含する。フルオロエーテルの酸素原子に結合した少なくとも部分的にフッ化されたアルキル鎖は、互いに独立して、直鎖状または分枝状であってもよい。
【００７３】
「フルオロエーテル」という用語はさらに、非環状エーテルおよび環状エーテルの両方を包含する。したがって、酸素原子に結合した２つのアルキル鎖は、必要に応じて、環を形成してもよい。特に、この用語は、フルオロオキシランを包含する。特定の実施形態において、本発明に係る有機フッ化合物は、パーフルオロオキシランまたはハイドロフルオロオキシランであり、より具体的には、３〜１５個の炭素原子を有するパーフルオロオキシランまたはハイドロフルオロオキシランある。
【００７４】
好ましくは、誘電体絶縁ガスは、少なくとも３つの炭素原子を有するハイドロフルオロモノエーテルを含有する。これらのハイドロフルオロモノエーテルは、高絶縁強度の他に、１４０℃を超える温度まで、化学的におよび熱的に安定する。また、これらのハイドロフルオロモノエーテルは、低毒性である。さらに、これらのハイドロフルオロモノエーテルは、非腐食性および非爆発性である。
【００７５】
「ハイドロフルオロモノエーテル」という用語は、本明細書に使用された場合、１つのみのエーテル基を有する化合物を指す。このエーテル基は、２つのアルキル基を連結する。この２つのアルキル基は、互いに独立して、直鎖状または分枝状であり、必要に応じて環を形成することができる。このような化合物は、たとえば、熱伝達流体に使用された２つのエーテル基を含有する化合物、すなわちハイドロフルオロジエーテルに関するＵＳ−Ｂ−７１２８１３３に開示された化合物とは、明らかに対照的である。
【００７６】
また、「ハイドロフルオロモノエーテル」という用語は、本明細書に使用された場合、モノエーテルが部分的に水素化され且つ部分的にフッ化されていると理解すべきである。さらに理解すべきことは、「ハイドロフルオロモノエーテル」という用語は、異なる構造のハイドロフルオロモノエーテルの混合物を含むことができることある。「異なる構造」という用語は、広義的にハイドロフルオロモノエーテルの合計式または構造式上の差を包含するものとする。
【００７７】
上述したように、少なくとも３つの炭素原子を有するハイドロフルオロモノエーテルは、比較的高い絶縁強度を有することが判明された。具体的には、本発明に係るハイドロフルオロモノエーテルの絶縁強度とＳＦ６の絶縁強度との比率は、約０．４を超える。
【００７８】
また上述したように、ハイドロフルオロモノエーテルは、低いＧＷＰを有する。このＧＷＰは、好ましくは、１００年後１０００未満であり、より具体的には１００年後７００未満である。
【００７９】
本明細書に記載のハイドロフルオロモノエーテルは、比較的低い大気寿命を有する上、オゾン破壊触媒サイクルに機能するハロゲン原子、すなわちＣｌ、ＢｒまたはＩを有しない。これらのハイドロフルオロモノエーテルのオゾン破壊係数（ＯＤＰ）は、ゼロであるため、環境の観点から非常に有利である。
【００８０】
少なくとも３つの炭素原子を有し、したがって−２０℃よりも比較的高い沸点を有するハイドロフルオロモノエーテルを選択した理由は、ハイドロフルオロモノエーテルの沸点が高くなると、一般的に誘電強度も高くなるという知見に基づいたからである。
【００８１】
他の実施形態によれば、ハイドロフルオロモノエーテルは、ちょうど３つまたは４つまたは５つまたは６つの炭素原子、好ましくはちょうど３つまたは４つの炭素原子、最も好ましくはちょうど３つの炭素原子を有する。
【００８２】
より具体的には、ハイドロフルオロモノエーテルは、以下の構造式により定義され、一部の水素原子がフッ素原子により置換された化合物からなる群から選択された少なくとも１つの化合物である。
【００８３】
【数５】
0006625053.tif 000006
【００８４】
【数６】
0006625053.tif 000007
【００８５】
３つまたは４つの炭素原子を有するハイドロフルオロモノエーテルを使用することによって、液化現象は、装置の通常動作条件の下で生じない。したがって、装置の動作条件の下で、誘電体絶縁媒体のすべての成分を気体状にすることが達成できる。
【００８６】
化合物の可燃性を考慮すると、ハイドロフルオロモノエーテルのフッ素原子の数とフッ素原子および水素原子の合計数との比率を少なくとも５：８にすることは、さらに有利である。本明細書において、この比率を「Ｆ比」と略称する。この定義範囲内の化合物は、一般的に不燃性であると判明され、したがって、最高の安全要件に満たした絶縁媒体をもたらす。したがって、対応するハイドロフルオロモノエーテルを使用することによって、電気絶縁体およびその製造方法の安全要件を容易に満たすことができる。
【００８７】
他の実施形態によれば、フッ素原子の数と炭素原子の数との比（「Ｆ／Ｃ比」と略称される）は、１．５１：１〜２：１の範囲に変動する。このような化合物は、一般的に、１００年後１０００未満のＧＷＰを有し、したがって環境に非常に優しい。ハイドロフルオロモノエーテルが１００年後７００未満のＧＷＰを有することは、特に好ましい。
【００８８】
本発明の他の実施形態によれば、ハイドロフルオロモノエーテルは、以下の一般構造（Ｏ）を有しており、
ＣａＨｂＦｃ−Ｏ−ＣｄＨｅＦｆ            （Ｏ）
式中、
ａおよびｄは各々、１〜３の整数であり、且つ、ａ＋ｄ＝３、４、５または６、特に３または４、
ｂおよびｃは各々、０〜１１の整数、特に０〜７の整数であり、且つ、ｂ＋ｃ＝２ａ＋１、
ｅおよびｆは各々、０〜１１の整数、特に０〜７の整数であり、且つ、ｅ＋ｆ＝２ｄ＋１、さらに、
ｂおよびｅの少なくとも一方は、１以上の整数であり、ｃおよびｆの少なくとも一方は、１以上の整数である。
【００８９】
よって、以下のようにすれば、好ましい実施形態が形成される。すなわち、ハイドロフルオロモノエーテルの一般構造または一般式（Ｏ）において、ａ＝１、ｂおよびｃは各々、０〜３の整数であり、且つ、ｂ＋ｃ＝３、ｄ＝２、ｅおよびｆは、０〜５の整数であり、且つ、ｅ＋ｆ＝５、さらに、ｂおよびｅの少なくとも一方は、１以上の整数であり、ｃおよびｆの少なくとも一方は、１以上の整数である。
【００９０】
より特定の実施形態によれば、一般構造（Ｏ）内のｃおよびｆの一方のみが、０である。各々のフッ素をエーテル結合の一方側にグループ化し、他方側を非置換のままに残すということは、「セグリゲーション」と呼ばれている。同様の鎖長を有するセグリゲーションされていない化合物に比べて、セグリゲーションは、化合物の沸点を低下することができるということが判明された。これによって、動作条件の下で液化する危険性なく、高誘電強度を可能にするより長い鎖長を有する化合物を使用できるため、この特性は、特に注目される。
【００９１】
最も好ましくは、ハイドロフルオロモノエーテルは、ペンタフルオロエチルメチルエーテル（ＣＨ３−Ｏ−ＣＦ２ＣＦ３）および２，２，２−トリフルオロエチル−トリフルオロメチルエーテル（ＣＦ３−Ｏ−ＣＨ２ＣＦ３）からなる群から選択される。
【００９２】
ペンタフルオロエチルメチルエーテルは、＋５．２５℃の沸点、１００年後６９７のＧＷＰおよび０．６２５のＦ比を有する。一方、２，２，２−トリフルオロエチル−トリフルオロメチルエーテルは、＋１１℃の沸点、１００年後４８７のＧＷＰおよび０．７５のＦ比を有する。両方は、０というＯＤＰを有するため、環境に完全許容である。
【００９３】
また、ペンタフルオロエチルメチルエーテルは、１７５℃の温度で３０日間熱的に安定であるため、装置の所定動作条件に完全に適していることが判明した。高分子量のハイドロフルオロモノエーテルに対する熱安定性研究によって、完全に水素化されたメチル基またはエチル基を有するエーテルは、部分的に水素化されたメチル基またはエチル基を有するエーテルに比べて、より低い熱安定性を有することが証明された。よって、２，２，２−トリフルオロエチル−トリフルオロメチルエーテルは、より高い熱安定性を有すると推測することができる。
【００９４】
一般的にハイドロフルオロモノエーテル、特にペンタフルオロエチルメチルエーテルおよび２，２，２−トリフルオロ−トリフルオロメチルエーテルは、低い人間毒性危険性を示している。これは、利用可能な哺乳動物ＨＦＣ（ハイドロフルオロカーボン）試験の結果から断定することができる。また、商用ハイドロフルオロモノエーテルから利用可能な情報も、本願の化合物の発癌性、変異原性、生殖／発育影響、および他の慢性影響に関する証拠を与えていない。
【００９５】
利用可能な高分子量の商用ハイドロフルオロエーテルのデータに基づいて、ハイドロフルオロモノエーテル、特にペンタフルオロエチルメチルエーテルおよび２，２，２−トリフルオロエチル−トリフルオロメチルエーテルは、１００００ｐｐｍを超える致死濃度ＬＣ５０を有することを断定することができる。よって、これらの化合物は、毒物学的観点からも、適切である。
【００９６】
上述したハイドロフルオロモノエーテルは、空気より高い誘電強度を有する。具体的には、１バール気圧下のペンタフルオロエチルメチルエーテルは、１バール気圧下の空気よりも、約２．４倍に高い誘電強度を有する。
【００９７】
上述したハイドロフルオロモノエーテル、特にペンタフルオロエチルメチルエーテルおよび２，２，２−トリフルオロエチル−トリフルオロメチルエーテルは各々、好ましくは５５℃未満、より好ましくは４０℃未満、特に３０℃未満の沸点を有することを考えれば、動作条件の下では一般的に気体状態である。したがって、すべての部品は、装置の動作条件の下で気体状態の誘電体絶縁媒体にあることを達成することができ、有利である。
【００９８】
上記のハイドロフルオロモノエーテルの代替的にまたは付加的に、誘電体絶縁ガスは、４〜１２個の炭素原子を有するフルオロケトンを含む。
【００９９】
「フルオロケトン」という用語は、本願に使用された場合、広く解釈すべきであり、パーフルオロケトンおよびハイドロフルオロケトンの両方を包含し、さらに飽和化合物および不飽和化合物すなわち炭素原子間の二重結合および／または三重結合を含む化合物の両方を包含すべきである。フルオロケトンの少なくとも部分的にフッ化されたアルキル鎖は、直鎖状または分枝状であってもよく、または環を形成してもよい。この環は、必要に応じて１つ以上のアルキル基で置換されてもよい。例示的な実施形態において、フルオロケトンは、パーフルオロケトンである。さらなる例示的な実施形態において、フルオロケトンは、分枝アルキル鎖、特に少なくとも部分的にフッ化された分枝アルキル鎖を有する。さらに別の例示的な実施形態において、フルオロケトンは、完全飽和化合物である。
【０１００】
別の局面によれば、本発明は、４〜１２個の炭素原子を有するフルオロケトンに関し、フルオロケトンの少なくとも部分的にフッ化されたアルキル鎖は、環を形成し、この環は、必要に応じて１つ以上のアルキル基で置換される。
【０１０１】
特に好ましくは、絶縁媒体は、ちょうど５つまたはちょうど６つの炭素原子を有するフルオロケトンまたはそれらの混合物を含む。
【０１０２】
７つ以上の炭素原子を有するより長い鎖長を有するフルオロケトンに比べて、５つまたは６つの炭素原子を有するフルオロケトンは、比較的低い沸点を有するため、有利である。これによって、低温で装置を使用する場合においても、液化による問題を回避することができる。
【０１０３】
実施形態によれば、フルオロケトンは、少なくとも１つの水素原子がフッ素原子で置換された以下の構造式により定義された化合物からなる群から選択された少なくとも１つの化合物である。
【０１０４】
【数７】
0006625053.tif 000008
【０１０５】
５つ以上の炭素原子を有するフルオロケトンは、一般的に非毒性であり、人間に対して高安全率を有するため、さらに有利である。対照的には、３つ以下の炭素原子を有するフルオロケトン、たとえば、ヘキサフルオロアセトン（またはヘキサフルオロプロパノン）は、毒性を有し、非常に反応性である。具体的には、ちょうど５つの炭素原子を有するフルオロケトン（本明細書ではフルオロケトン  ａ）と略称する）およびちょうど６つの炭素原子を有するフルオロケトンは、５００℃まで熱的に安定である。
【０１０６】
本発明の実施形態において、分枝アルキル鎖を有するフルオロケトン、特にフルオロケトン  ａ）は、アルキル直鎖を有する対応の化合物（すなわち、同様の分子式を有する化合物）に比べて、より低い沸点を有するため、好ましい。
【０１０７】
実施形態によれば、フルオロケトン  ａ）は、パーフルオロケトンある。具体的には、フルオロケトン  ａ）は、分子式Ｃ５Ｆ１０Ｏを有し、すなわち、炭素原子間の二重結合または三重結合を有しなく、完全に飽和されている。より好ましくは、フルオロケトン  ａ）は、１，１，１，３，４，４，４−ヘプタフルオロ−３−（トリフルオロメチル）ブタン−２−オン（デカフルオロ−２−メチルブタン−３−オンとも呼ばれる）、１，１，１，３，３，４，４，５，５，５−デカフルオロペンタン−２−オン、１，１，１，２，２，４，４，５，５，５−デカフルオロペンタン−３−オン、およびオクタフルオロシクロペンタノンから成る群から選択することができ、最も好ましくは、フルオロケトン  ａ）は、１，１，１，３，４，４，４−ヘプタフルオロ−３−（トリフルオロメチル）ブタン−２−オンである。
【０１０８】
１，１，１，３，４，４，４−ヘプタフルオロ−３−（トリフルオロメチル）ブタン−２−オンは、以下の構造式（Ｉ）で表すことができる。１，１，１，３，４，４，４−ヘプタフルオロ−３−（トリフルオロメチル）ブタン−２−オンは、本明細書では「Ｃ５−ケトン」と略称され、分子式ＣＦ３Ｃ（Ｏ）ＣＦ（ＣＦ３）２またはＣ５Ｆ１０Ｏを有する。Ｃ５−ケトンは、高誘電率絶縁性能とう利点を有し、特に誘電性キャリアガスと混合すると、非常に低いＧＷＰおよび低い沸点を有するため、高電圧および中電圧絶縁応用に特に好ましいということが判明された。Ｃ５−ケトンは、０というＯＤＰを有し、実質的に非毒性である。
【０１０９】
【数８】
0006625053.tif 000009
【０１１０】
実施形態によれば、異なるフルオロケトン化合物を混合することによって、より高い断熱性能を達成することができる。実施形態において、上述したように、ちょうど５つの炭素原子を有し、本明細書においてフルオロケトン  ａ）と略称されたフルオロケトン、およびちょうど６つの炭素原子またはちょうど７個の炭素原子を有し、本明細書においてフルオロケトン  ｃ）と略称されたフルオロケトンは、同時に誘電絶縁体の一部に好適的になることができる。従って、各々が絶縁媒体の絶縁強度に寄与する２つ以上のフルオロケトンを含む絶縁媒体を達成することができる。
【０１１１】
実施形態において、フルオロケトン  ｃ）は、少なくとも１つの水素原子がフッ素原子で置換された以下の構造式により定義された化合物からなる群から選択された少なくとも１つの化合物、
【０１１２】
【数９】
0006625053.tif 000010
【０１１３】
ならびにちょうど６つの炭素原子を有する任意のフルオロケトンであって、フルオロケトンの少なくとも部分的にフッ化されたアルキル鎖が１つ以上のアルキル基により置換された環を形成しているフルオロケトン（ＩＩｈ）、
および／または少なくとも１つの水素原子がフッ素原子で置換された以下の構造式により定義された化合物からなる群から選択された少なくとも１つの化合物、特にドデカフルオロ−シクロヘプタノン、
【０１１４】
【数１０】
0006625053.tif 000011
【０１１５】
【数１１】
0006625053.tif 000012
【０１１６】
ならびにちょうど７つの炭素原子を有する任意のフルオロケトンであって、フルオロケトンの少なくとも部分的にフッ化されたアルキル鎖が１つ以上のアルキル基により置換された環を形成しているフルオロケトン（ＩＩＩｏ）を含む。
【０１１７】
特に、本発明は、構造式（Ｉａ）〜（Ｉｄ）を有する化合物のいずれか１つと、構造式（ＩＩａ）〜（ＩＩｇ）および／または（ＩＩＩａ）〜（ＩＩＩｎ）を有する化合物のいずれか１つとの任意の組合わせを含む。同様に、本発明は、構造式（Ｉａ）〜（Ｉｉ）、（ＩＩａ）〜（ＩＩｈ）および（ＩＩＩａ）〜（ＩＩＩｏ）を有する化合物およびそれらの混合物からなる群から選択された各化合物またはその群から選択された化合物の各組合わせを含む。
【０１１８】
別の局面によれば、本発明は、ちょうど６つの炭素原子を有するフルオロケトンを含む誘電体絶縁媒体に関する。フルオロケトンの少なくとも部分的にフッ化されたアルキル鎖は、環を形成しており、この環は、必要に応じて１個以上のアルキル基で置換される。また、このような誘電体絶縁媒体は、バックグラウンドガス、具体的には、空気、空気成分、窒素、酸素、炭酸ガス、窒素酸化物（具体的には、たとえばＮＯ２、ＮＯ、Ｎ２Ｏを含むがこれらに限定されない）、およびこれらの混合物からなる群から選択されたバックグラウンドガスを含むことができる。また、このような誘電体絶縁媒体を含む電気装置が開示される。
【０１１９】
さらに別の局面によれば、本発明は、ちょうど７つの炭素原子を有するフルオロケトンを含む誘電体絶縁媒体に関する。フルオロケトンの少なくとも部分的にフッ化されたアルキル鎖は、環を形成しており、この環は、必要に応じて１個以上のアルキル基で置換される。また、このような誘電体絶縁媒体は、バックグラウンドガス、具体的には、空気、空気成分、窒素、酸素、炭酸ガス、窒素酸化物（具体的には、たとえばＮＯ２、ＮＯ、Ｎ２Ｏを含むがこれらに限定されない）、およびこれらの混合物からなる群から選択されたバックグラウンドガスを含むことができる。また、このような誘電体絶縁媒体を含む電気装置が開示される。
【０１２０】
本発明は、構造式（Ｉａ）〜（Ｉｉ）、（ＩＩａ）〜（ＩＩｇ）または（ＩＩａ）〜（ＩＩｈ）、（ＩＩＩａ）〜（ＩＩＩｎ）または（ＩＩＩａ）〜（ＩＩＩｏ）を有する化合物およびそれらの混合物からなる群から選択された各化合物またはその群から選択された化合物の各組合わせを含む誘電体絶縁媒体を含み、このような誘電体絶縁媒体は、バックグラウンドガス、具体的には、空気、空気成分、窒素、酸素、炭酸ガス、窒素酸化物（具体的には、たとえばＮＯ２、ＮＯ、Ｎ２Ｏを含むがこれらに限定されない）、およびこれらの混合物からなる群から選択されたバックグラウンドガスをさらに含むことができる。また、このような誘電体絶縁媒体を含む電気装置が開示される。
【０１２１】
本発明の装置の特定の用途に応じて、ちょうど６つの炭素原子を有するフルオロケトン（上述した「フルオロケトン  ｃ）の定義に該当）は、好まれることがある。このようなフルオロケトンは、非毒性であり、人間に対して高安全率を有する。
【０１２２】
実施形態において、フルオロケトン  ａ）と同様に、フルオロケトン  ｃ）は、パーフルオロケトンであり、および／または分枝アルキル鎖、特に少なくとも部分的にフッ化された分枝アルキル鎖を有し、および／またはフルオロケトン  ｃ）は、完全飽和化合物を含有する。特に、フルオロケトン  ｃ）は、分子式Ｃ６Ｆ１２Ｏを有し、すなわち、炭素原子間の二重結合または三重結合を有しなく、完全に飽和されている。より好ましくは、フルオロケトン  ｃ）は、１，１，１，２，４，４，５，５，５−ノナフルオロ−２−（トリフルオロメチル）ペンタン−３−オン（ドデカフルオロ−２−メチルペンタン−３−オンとも呼ばれる）、１，１，１，３，３，４，５，５，５−ノナフルオロ−４−（トリフルオロメチル）ペンタン−２−オン（ドデカフルオロ−４−メチルペンタン−２−オンとも呼ばれる）、１，１，１，３，４，４，５，５，５−ノナフルオロ−３−（トリフルオロメチル）ペンタン−２−オン（ドデカフルオロ−３−メチルペンタン−２−オンとも呼ばれる）、１，１，１，４，４，４−ヘキサフルオロ−３，３−ビス−（トリフルオロメチル）ブタン−２−オン（ドデカフルオロ−３，３−（ジメチル）ブタン−２−オンとも呼ばれる）、ドデカフルオロヘキサン−２−オン、ドデカフルオロヘキサン−３−オンおよびデカフルオロシクロヘキサノンからなる群から選択することができ、特に、フルオロケトン  ｃ）は、上記の１，１，１，２，４，４，５，５，５−ノナフルオロ−２−（トリフルオロメチル）ペンタン−３−オンである。
【０１２３】
１，１，１，２，４，４，５，５，５−ノナフルオロ−２−（トリフルオロメチル）ペンタン−３−オン（ドデカフルオロ−２−メチルペンタン−３−オンとも呼ばれる）は、以下の構造式（ＩＩ）で表すことができる。１，１，１，２，４，４，５，５，５−ノナフルオロ−２−（トリフルオロメチル）ペンタン−３−オン（本明細書では「Ｃ６−ケトン」と略称され、分子式Ｃ２Ｆ５Ｃ（Ｏ）ＣＦ（ＣＦ３）２を有する）は、高い絶縁性および極端に低いＧＷＰを有するため、高電圧絶縁応用に特に好ましいということが判明された。具体的には、Ｃ６−ケトンの減圧破壊電界強度は、約２４０ｋＶ／（ｃｍ・ｂａｒ）であり、非常に低い誘電強度（Ｅｃｒ＝２５ｋＶ／（ｃｍ・ｂａｒ））を有する空気よりもはるかに高い。また、Ｃ６−ケトンは、０というオゾン破壊係数を有し、且つ、非毒性（ＬＣ５０＝約１０００００ｐｐｍ）である。したがって、Ｃ６−ケトンは、ＳＦ６よりも環境にはるかに低い影響を与えるとともに、人間に対して高い安全率を有する。
【０１２４】
【数１２】
0006625053.tif 000013
【０１２５】
上述したように、有機フッ素化合物は、フルオロオレフィン、特にハイドロフルオロオレフィンであってもよく、より具体的には、ちょうど３つの炭素原子をそれぞれ有するフルオロオレフィンまたはハイドロフルオロオレフィンであってもよい。
【０１２６】
一実施形態によれば、ハイドロフルオロオレフィンは、１，１，１，２−テトラフルオロプロペン（ＨＦＯ−１２３４ｙｆ）、１，２，３，３−テトラフルオロ−２−プロペン（ＨＦＯ−１２３４ｙｃ）、１，１，３，３−テトラフルオロ−２−プロペン（ＨＦＯ−１２３４ｚｃ）、１，１，１，３−テトラフルオロ−２−プロペン（ＨＦＯ−１２３４ｚｅ）、１，１，２，３−テトラフルオロ−２−プロペン（ＨＦＯ−１２３４ｙｅ）、１，１，１，２，３−ペンタフルオロプロペン（ＨＦＯ−１２２５ｙｅ）、１，１，２，３，３−ペンタフルオロプロペン（ＨＦＯ−１２２５ｙｃ）、１，１，１，３，３−ペンタフルオロプロペン（ＨＦＯ−１２２５ｚｃ）、（Ｚ）１，１，１，３−テトラフルオロプロペン（ＨＦＯ−１２３４ｚｅＺ）、（Ｚ）１，１，２，３−テトラフルオロ−２−プロペン（ＨＦＯ−１２３４ｙｅＺ）、（Ｅ）１，１，１，３−テトラフルオロプロペン（ＨＦＯ−１２３４ｚｅＥ）、（Ｅ）１，１，２，３−テトラフルオロ−２−プロペン（ＨＦＯ−１２３４ｙｅＥ）、（Ｚ）１，１，１，２，３−ペンタフルオロプロペン（ＨＦＯ−１２２５ｙｅＺ）、（Ｅ）１，１，１，２，３−ペンタフルオロプロペン（ＨＦＯ−１２２５ｙｅＥ）、およびそれらの組合わせからなる群から選択される。
【０１２７】
上述したように、有機フッ素化合物は、フルオロニトリル、特にパーフルオロニトリルであってもよい。具体的には、有機フッ素化合物は、フルオロニトリルであって、特に２つの炭素原子、３つの炭素原子または４つの炭素原子を有するパーフルオロニトリルであってもよい。より具体的には、フルオロニトリルは、パーフルオロアルキルニトリルであって、特にパーフルオロアセトニトリル、パーフルオロプロピオニトリル（Ｃ２Ｆ５ＣＮ）および／またはパーフルオロブチロニトリル（Ｃ３Ｆ７ＣＮ）であってもよい。
【０１２８】
最も具体的には、フルオロニトリルは、（分子式（ＣＦ３）２ＣＦＣＮを有する）パーフルオロイソブチロニトリルであってもよく、および／または（分子式ＣＦ３ＣＦ（ＯＣＦ３）ＣＮを有する）パーフルオロ−２−メトキシプロパンニトリルであってもよい。そのうち、パーフルオロイソブチロニトリルは、低毒性のため、特に好ましい。
【０１２９】
さらに、絶縁媒体の保全性を保証するために、好ましくは、ハウジングは、絶縁空間を気密に囲む。
【０１３０】
実施形態において、少なくとも１つの絶縁空間区画室に、特に各絶縁空間区画室に配置された吸着材の量ｍａｄｓは、下記式（Ｉｉ）を満たし、
【０１３１】
【数１３】
0006625053.tif 000014
【０１３２】
式中、
ｍｄｐｉは、絶縁媒体に存在する分解生成物ｄｐ１、ｄｐ２、．．．ｄｐｎの各々の量であり、ｉは、ｉ番目の分解生成物を表す数字であり、
Ｋａｄｓ，ｄｐｉは、吸着材が所定温度Ｔ０（Ｔ０の代わりに、第１所定温度Ｔ１および第２所定温度Ｔ２を言及する実施形態の場合、第１所定温度Ｔ１）で分解生成物ｄｐ１、ｄｐ２、．．．ｄｐｎのうちｉ番目の分解生成物を吸着する吸着能力である。
【０１３３】
これらの実施形態において、少なくとも１つの分解生成物は、絶縁空間区画室中に存在する水分に加えて、他の汚染物として見なされる。具体的には、少なくとも１つの分解生成物は、必要に応じて絶縁媒体に含まれた有機フッ素化合物の分解生成物であり、より具体的にはフルオロケトンの分解生成物である。
【０１３４】
一般的には、ｍｄｐｉは、たとえばガスメンテナンスまたはガス交換の間に、対応する絶縁空間区画室内に生成および／または放出されたｉ番目の分解生成物の量に関連する。
【０１３５】
さらに好ましい実施形態によれば、電気装置は、高電圧または中電圧装置である。好ましくは、電気装置は、高電圧装置、中電圧装置、低電圧装置、直流装置、スイッチ装置、空気絶縁スイッチ装置、空気絶縁スイッチ装置の一部または部品、ガス絶縁金属内包スイッチ装置（ＧＩＳ）、ガス絶縁金属内包スイッチ装置の一部または部品、空気絶縁送電線、ガス絶縁送電線（ＧＩＬ）、バスバー、ブッシング、空気絶縁絶縁体、ガス絶縁金属内包絶縁体、ケーブル、ガス絶縁ケーブル、ケーブル継手、電流変成器、電圧変成器、センサ、サージ避雷器、キャパシタ、インダクタ、抵抗器、電流制限器、高電圧スイッチ、接地スイッチ、断路器、負荷開閉スイッチ、回路遮断器、ガス回路遮断器、真空回路遮断器、発電機回路遮断器、中電圧スイッチ、環状主回路ユニット、再閉路器、分割器、低電圧スイッチ、変成器、配電変成器、電力変成器、タップ切換器、変成器ブッシング、回転電機、発電機、電動機、駆動装置、半導体装置、電力半導体装置、電力変換装置、計算機、これらの装置の部品および／または組合わせの一部であるまたはそのものである。
【０１３６】
第２局面によれば、本発明は、電気エネルギーの生成、伝送、配給および／または使用を行うための電気装置に関する。この電気装置は、電気装置内部空間を囲むハウジングを備え、電気装置内部空間の少なくとも一部は、電気部品を配置する少なくとも１つの絶縁空間を形成し、絶縁空間は、電気部品を囲む絶縁媒体を含み、絶縁媒体は、二酸化炭素を含有し、絶縁空間は、一定量の水分および必要に応じて他の汚染物を絶縁媒体から減量するまたは除去するための吸着材が配置された少なくとも１つの絶縁空間区画室を含み、少なくとも１つの絶縁空間区画室は、１立方メートルの単位体積で、５ｋｇ未満、好ましくは１．２５ｋｇ未満、より好ましくは０．２５ｋｇ未満、最も好ましくは０．１２５ｋｇ未満の体積固有量の吸着材を含む。
【０１３７】
電気部品は、非回路遮断器部品である場合に、少なくとも１つの絶縁空間区画室は、１立方メートルの単位体積で、２ｋｇ未満、好ましくは０．５ｋｇ未満、より好ましくは０．１ｋｇ未満、最も好ましくは０．０５ｋｇ未満の体積固有量の吸着材を含むことが特に好ましい。従って、絶縁媒体の絶縁性能に対する吸着材の影響を最小限に抑えることができる。
【０１３８】
上記で本発明の第１局面に関連して開示された好ましい特徴は、同様に本発明の第２局面に適用することができる。
【０１３９】
さらなる局面によれば、本発明はまた、電気エネルギーの生成、伝送、配給および／または使用を行うための電気装置内の水分および必要に応じて他の汚染物を吸着するための吸着材の最適量を決定するための方法に関する。この電気装置は、電気装置内部空間を囲むハウジングを備え、電気装置内部空間の少なくとも一部は、電気部品を配置する少なくとも１つの絶縁空間を形成し、絶縁空間は、電気部品を囲む絶縁媒体を含み、絶縁媒体は、二酸化炭素を含有し、絶縁空間は、少なくとも１つの絶縁空間区画室を含む。この方法は、ａ）少なくとも１つの絶縁空間区画室に存在する水分の量ｍＨ２Ｏを決定するステップと、ｂ）少なくとも１つの絶縁空間区画室に存在する二酸化炭素の量ｍＣＯ２を決定するステップと、ｃ）式（Ｉ）に従って、少なくとも１つの絶縁空間区画室に配置された吸着材の量ｍａｄｓの下限値を決定するステップと、ｄ）式（ＩＩ）に従って、少なくとも１つの絶縁空間区画室に配置された吸着材の量ｍａｄｓの上限値を決定するステップとを含み、
【０１４０】
【数１４】
0006625053.tif 000015
【０１４１】
【数１５】
0006625053.tif 000016
【０１４２】
式中、
Ｋａｄｓ，Ｈ２Ｏは、吸着材が所定温度Ｔ０で水分を吸着する吸着能力であり、
Ｋａｄｓ，ＣＯ２は、吸着材が所定温度Ｔ０で二酸化炭素を吸着する吸着能力である。
【０１４３】
理解すべきことは、上記で本発明の電気装置に関連して開示された好ましい特徴は、同様に本発明の方法に適用することができ、およびその逆も可能である。
【０１４４】
具体的には、ｍＨ２Ｏは、吸着材を絶縁空間区画室に配置する時にまたは配置する直前に、絶縁空間区画室に存在する水分の量であり、Ｋａｄｓ，Ｈ２Ｏは、吸着材を絶縁空間区画室に配置する時にまたは配置する直前に、吸着材が所定温度Ｔ０で水分を吸着する吸着能力である。
【０１４５】
具体的には、吸着剤の量ｍａｄｓは、前記絶縁空間区画室に前記吸着材を導入する際に、前記絶縁媒体内のＣＯ２の分圧が１５％未満、好ましくは１０％未満、より好ましくは５％未満、最も好ましくは２％未満に変化するように、選択される。この実施形態によれば、ＣＯ２の密度は、同様に、１５％未満、好ましくは１０％未満、より好ましくは５％未満、最も好ましくは２％未満に変化する。
【０１４６】
実施形態において、少なくとも１つの絶縁空間区画室、特に各絶縁空間区画室に配置された吸着材の量ｍａｄｓの下限値は、具体的には下記式（Ｉｉ）を満たし、
【０１４７】
【数１６】
0006625053.tif 000017
【０１４８】
式中、
ｍｄｐｉは、前記絶縁媒体に存在する分解生成物ｄｐ１、ｄｐ２、．．．ｄｐｎの各々の量であり、ｉは、ｉ番目の分解生成物を表す数字であり、
Ｋａｄｓ，ｄｐｉは、前記吸着材が前記所定温度Ｔ０（Ｔ０の代わりに、第１所定温度Ｔ１および第２所定温度Ｔ２を言及する実施形態の場合、第１所定温度Ｔ１）で分解生成物ｄｐ１、ｄｐ２、．．．ｄｐｎのうちｉ番目の分解生成物を吸着する吸着能力である。
【実施例】
【０１４９】
受動素子を備えた電気装置に使用された約５Åの平均孔径を有するゼオライトの最適量は、以下のように決定された。
【０１５０】
ゼオライト量の下限値を決定するために、絶縁空間区画室内の水分の量は、絶縁空間区画室に含まれたポリマ材料の量をポリマ材料中に含まれた水分の量で乗じてから、１平方メートルあたりに直接絶縁媒体に露出された水分の量１ｇを足し、さらに３０年を亘って装置を長期運転することによって得られた、密封シールを通って拡散する水分の経験値である水分の量１ｇを足すことによって、算出された。（概ね１立方メートルの）絶縁空間区画室に含まれたポリマ材料が１０ｋｇであって、１ｋｇ当たりのポリマ材料が２ｇの水分を含有するので、吸着される水分の総量は、２２ｇである。
【０１５１】
約０．２０のｋａｄｓ，Ｈ２Ｏを有する吸着材に対し、下記式によって決定された吸着材の量の下限値は、１１０ｇである。
【０１５２】
【数１７】
0006625053.tif 000018
【０１５３】
その上限値は、下記式に従って決定された。
【０１５４】
【数１８】
0006625053.tif 000019
【０１５５】
ＣＯ２の量ｍＣＯ２が約８．８ｋｇ（約５バール）であり、ゼオライトのＫａｄｓ，ＣＯ２が約０．２であると仮定する場合、ゼオライトの上限値は、４．４ｋｇである。したがって、絶縁空間区画室に導入されるゼオライトの最適量は、１１０ｇ〜４．４ｋｇである。
【０１５６】
本願の全体を通じて、「好ましい」、「特定の」および「特に好ましい」などの用語は、任意の実施形態を指す。